(57)【特許請求の範囲】
【請求項１】
筐体と、前記筐体にその前面開口部を介して収納可能に設けられ、前記筐体外の搬出位置と前記筐体内の搬入位置との間をメモリー素子を内蔵したメモリーカードを載せて移動するトレイと、前記筐体内に固設され前記トレイが前記搬入位置にある時に前記メモリーカードに形成された接点に接続した状態とされる複数本の端子と、前記筐体に支持された軸を中心として回動するレバー部材と、前記レバー部材の一端部側に設けられ、前記レバー部材の回動動作により前記トレイの移動路内に進退自在とされた検出部材と、前記レバー部材の一端部側を前記トレイの移動路内に向かって付勢するばね部材と、前記レバー部材に押圧されてスイッチング動作を行うスイッチ部材とを備え、前記メモリーカードは、前記メモリー素子への書き込みを許可または禁止の状態を示すための移動片とこの移動片によって開閉される切欠凹部とを有しており、前記トレイの前記搬入位置への移動によって前記レバー部材が前記ばね部材の付勢力を受けて回動して前記検出部材が前記トレイの移動路内に進入し、前記切欠凹部が前記移動片で塞がれた状態にある場合には前記検出部材が前記移動片に当接して前記レバー部材の回動が阻止されるとともに、前記切欠凹部が開口している状態にある場合には前記検出部材が前記切欠凹部に入り込んで前記レバー部材が更に回動し、この更なる前記レバー部材の回動に伴って前記スイッチ部材がスイッチング動作を行うことにより、前記メモリー素子への書き込みが許可又は禁止された状態にあるのを検出するようにしたことを特徴とするメモリーカード接続装置。
【請求項２】
前記レバー部材が前記筐体の一方の側板に取り付けられて、前記検出部材が前記トレイの前記メモリーカードを載置するメモリーカード載置部の上方から前記トレイの移動路内に進退するようになされ、前記軸が前記メモリーカード載置部よりも下方であって且つ前記検出部材よりも前記前面開口部側に配置されていることを特徴とする請求項１に記載のメモリーカード接続装置。
【請求項３】
前記筐体には、前記トレイを前記搬入位置にロックするとともに、この状態で前記前面開口部に臨む前記トレイの前面部を押圧操作して前記トレイを前記筐体内にさらに移動させることによって前記トレイに対するロックを解除するロック機構が設けられ、前記メモリー素子への書き込みが許可された状態にある場合に、前記回動レバーが、前記検出部材と前記切欠凹部とが係合した状態で前記押圧操作によって前記トレイと一体的に移動することを特徴とする請求項１又は２に記載のメモリーカード接続装置。
【請求項４】
前記トレイには前記トレイの移動方向に延びるレール部が形成され、このレール部が、前記トレイが前記搬出位置にある時に前記ばね部材の付勢力に抗して前記検出部材を前記トレイの移動路外の待機位置に保持する保持手段とされており、前記レール部の前記前面開口部側の前端部は、メモリー素子への書き込みが許可された状態にある場合に前記検出部材が前記切欠凹部に入り込むことができる位置に設けられていることを特徴とする請求項１，２又は３に記載のメモリーカード接続装置。
【請求項５】
前記トレイには複数の突起が設けられ、これら複数の突起と前記レール部とによって前記メモリーカード載置部に前記メモリーカードを位置決め保持するようにしたことを特徴とする請求項４に記載のメモリーカード接続装置。
【発明の詳細な説明】
【０００１】
【発明の属する技術分野】
接点を有するメモリーカードと接続するメモリーカード接続装置に係り、特に接続時にメモリーカード搬送用のトレイを備えたメモリーカード接続装置の構造に関する。
【０００２】
【従来の技術】
コンピュータ等の機器に取り付けられてメモリーカードに対して情報の書き込み・読み出しを行うようにしたメモリーカード用コネクタ装置は、ベースとカバーとを接合・一体化して形成された筐体と、この筐体内部に固設された複数本の端子とを備え、前記筐体の前面に開設された挿入口からメモリーカードを抜き差しすることにより、メモリーカードの底面に形成された接点を前記複数本の端子と接続させるようにしている。このようなメモリーカード用コネクタ装置は特開２０００−２５１０２５号公報にて公知である。
【０００３】
【発明が解決しようとする課題】
ところで、メモリーカード用コネクタ装置の普及に伴い、メモリーカードを筐体の内部に移動したり、内部から移動したりするトレイを有した高級商品としての位置付けのメモリーカード接続装置の開発が望まれた。このようなメモリーカード接続装置は、トレイが筐体内部に位置する時に、メモリーカードに装着されメモリーカードの切欠凹部を開閉自在な移動片の位置から情報の書き込みが許可された状態にあるのか禁止の状態あるのかを検出する必要がある。しかし、トレイの移動を妨げないようにするために移動片の位置を光センサを用いて光学的に検出しようとすると、コネクタ装置の構造が複雑になりコスト高になるという問題があった。
【０００４】
本発明は上述した事情に鑑みてなされたもので、その目的は、メモリーカードの移動片の位置から情報の書き込みが許可された状態にあるのか禁止の状態あるのかを検出する構造を簡素化し、より廉価なメモリーカード接続装置を提供することにある。
【０００５】
【課題を解決するための手段】
上記目的を達成するために、本発明のメモリーカード接続装置は、筐体と、前記筐体にその前面開口部を介して収納可能に設けられ、前記筐体外の搬出位置と前記筐体内の搬入位置との間をメモリー素子を内蔵したメモリーカードを載せて移動するトレイと、前記筐体内に固設され前記トレイが前記搬入位置にある時に前記メモリーカードに形成された接点に接続した状態とされる複数本の端子と、前記筐体に支持された軸を中心として回動するレバー部材と、前記レバー部材の一端部側に設けられ、前記レバー部材の回動動作により前記トレイの移動路内に進退自在とされた検出部材と、前記レバー部材の一端部側を前記トレイの移動路内に向かって付勢するばね部材と、前記レバー部材に押圧されてスイッチング動作を行うスイッチ部材とを備え、前記メモリーカードは、前記メモリー素子への書き込みを許可または禁止の状態を示すための移動片とこの移動片によって開閉される切欠凹部とを有しており、前記トレイの前記搬入位置への移動によって前記レバー部材が前記ばね部材の付勢力を受けて回動して前記検出部材が前記トレイの移動路内に進入し、前記切欠凹部が前記移動片で塞がれた状態にある場合には前記検出部材が前記移動片に当接して前記レバー部材の回動が阻止されるとともに、前記切欠凹部が開口している状態にある場合には前記検出部材が前記切欠凹部に入り込んで前記レバー部材が更に回動し、この更なる前記レバー部材の回動に伴って前記スイッチ部材がスイッチング動作を行うことにより、前記メモリー素子への書き込みが許可又は禁止された状態にあるのを検出するようにしたことを最も主要な特徴としている。
【０００６】
また、上記構成において、前記レバー部材が前記筐体の一方の側板に取り付けられて、前記検出部材が前記トレイの前記メモリーカードを載置するメモリーカード載置部の上方から前記トレイの移動路内に進退するようになされ、前記軸が前記メモリーカード載置部よりも下方であって且つ前記検出部材よりも前記前面開口部側に配置されている構成とした。
【０００７】
また、上記構成において、前記筐体には、前記トレイを前記搬入位置にロックするとともに、この状態で前記前面開口部に臨む前記トレイの前面部を押圧操作して前記トレイを前記筐体内にさらに移動させることによって前記トレイに対するロックを解除するロック機構が設けられ、前記メモリー素子への書き込みが許可された状態にある場合に、前記回動レバーが、前記検出部材と前記切欠凹部とが係合した状態で前記押圧操作によって前記トレイと一体的に移動する構成とした。
【０００８】
また、上記構成において、前記トレイには前記トレイの移動方向に延びるレール部が形成され、このレール部が、前記トレイが前記搬出位置にある時に前記ばね部材の付勢力に抗して前記検出部材を前記トレイの移動路外の待機位置に保持する保持手段とされており、前記レール部の前記前面開口部側の前端部は、メモリー素子への書き込みが許可された状態にある場合に前記検出部材が前記切欠凹部に入り込むことができる位置に設けられている構成とした。
【０００９】
また、上記構成において、前記トレイには複数の突起が設けられ、これら複数の突起と前記レール部とによって前記メモリーカード載置部に前記メモリーカードを位置決め保持する構成とした。
【００１０】
【発明の実施の形態】
以下、本発明のメモリーカード接続装置の第１の実施形態を図１乃至図４４に基づいて説明する。
【００１１】
このメモリーカード接続装置は、図１〜図４に示すように、筐体１と、筐体１にその前面開口２ａを介して前後進可能に設けられたトレイ１７と、筐体１内に取り付けられた基板３１と、筐体１の一方の側板３に回動自在に支持されたレバー部材３７と、筐体１の他方の側板４に前後動自在に取り付けられたスライド部材４３等で構成されている。
【００１２】
このメモリーカード接続装置に用いられるメモリーカード６１は公知のもので、ＩＣ等のメモリ素子を内蔵したプラスチック製のケースによって構成されており、図５に示すように、先端一隅にテーパ部６２が形成され、底面にはその先端部に複数の接点６３が一定間隔で並設されている。また、メモリーカード６２の一側部には切欠凹部６４が形成され、この切欠凹部６４に前記メモリー素子への情報の書き込みを許可または禁止の状態を示すための移動片６５が前後方向にスライド自在に装着されており、図５Ａは切欠凹部６４が開口され前記メモリー素子へ情報の書き込みが許可されている状態を示し、図５Ｂは移動片６５によって切欠凹部６４が塞がれ前記メモリー素子へ情報の書き込みが禁止されている状態を示している。
【００１３】
次に、このメモリーカード接続装置を構成する各部材の具体的構成について順次説明する。
【００１４】
筐体１は、プラスチック材で成形されてなるもので、図６〜図１０に示すように、前面板２、側板３，４、後面板５及び底板６から構成され、側板３，４間がトレイ１７の移動路とされており、前面板２には前面開口部２ａが、また後面板５には後面開口部５ａがそれぞれ形成され、前面板２及び両側板３，４の各内壁面に基板３１を取り付けるための取付部７が形成されている。一方の側板３には、上端を開放した円弧状孔３ａとこの円弧状孔３ａの下端に連続して後方（矢印Ｙ方向）へ延びる切欠孔３ｂとが形成され、２つの小孔３ｃが前後に間隔を置いて形成されており、下端を開放した矩形状の切欠部３ｄとこの切欠部３ｄに連続して上方に延びる小切欠３ｅとが穿設されているとともに、円弧状の逃げ孔３ｆが小切欠３ｅに連続して上方に延びるように形成されている。また、一方の側壁３にはその内壁面に一対の案内突起８ａ，８ｂが２組前後に間隔を置いて形成され、側壁３の外壁面にねじ孔９ａを有する軸９とばね掛け用の突起１０とが設けられている。
【００１５】
また、筐体１の他方の側板４には、通孔４ａと２つの角孔４ｂとが穿設され、３つの長孔４ｃと矩形状の透孔４ｄとが前後に延びるように形成されており、側板４の内壁面には第１のラックギア１１が透孔４ｄの下縁に沿って設けられ、一対の案内突起１２ａ，１２ｂが２組前後に間隔を置いて形成されている。また、側板４の外壁面には、ばね掛け部１３とハート型カム１４とが設けられており、図２８に示すように、ハート型カム１４は主ガイド溝１４ａとこの主ガイド溝１４ａから分岐された往路ガイド溝１４ｂ及び復路ガイド溝１４ｃとこれら往路・復路ガイド溝１４ｂ，１４ｃによって画成された係止突起１４ｄとで形成されている。さらに、底板６にはその後端側を残すように開口６ａが穿設されている。そして、図１に示すように、筐体１の上方開口端には両側板３，４間に跨って弾性金属板１５が固定されており、この弾性金属板１５に押さえローラ１６が回転可能に取り付けられている。
【００１６】
トレイ１７は、プラスチック材で成形されてなるもので、図１１〜図１８に示すように、矩形状の基部１８と、この基部１８の両側に一体に設けられた一対の案内腕部１９，２０と、基部１８の前端に一体に形成された前面部２１とで構成され、基部１８の上面には凸状のレール部２２が一方の案内腕部１９に沿って前後方向に延びるように形成されているとともに、４つの突起２３〜２６が四方に配して設けられ、これら突起２３〜２６とレール部２２の前端部分とで囲まれたスペースがメモリーカード載置部２７とされており、メモリーカード載置部２７には開口部２７ａが設けられ、突起２６にテーパ部２６ａが形成されている。また、基部１８の底面には一対の支持部２８ａ，２８ｂが形成されており、この一対の支持部２８ａ，２８ｂにローラ２９がその両端に設けられた軸２９ａによって回転自在に支承されている。さらに、他方の案内腕部２０の底面には第２のラックギア３０が前後方向に延びるように設けられ、一方の案内腕部１９の底面には後述する２つのプッシュスイッチをそれぞれ押圧するための押圧部１９ａ，１９ｂが設けられている。
【００１７】
そして、トレイ１７は、筐体１内に前面開口部２ａから挿入され、一方の案内腕部１９を一対の案内突起８ａ，８ｂ間に挿通させ、他方の案内腕部２０を一対の案内突起１２ａ，１２ｂ間に挿通させて、これら案内突起８ａ，８ｂ，１２ａ，１２ｂで両案内腕部１９，２０を支持せることにより、前方向（矢印Ｘ方向）及び後方向（矢印Ｙ方向）に前後移動できるようになっている。
【００１８】
基板３１は、フェノール樹脂で成形されてなるもので、図１９〜図２１に示すように、その上面に弾性を有するばね材で形成された複数本の端子３２が絶縁合成樹脂製のブロック体３３によって片持ち状態で支持されており、複数本の端子３２は、トレイ１７の移動方向と直交するローラ軸２９ａの軸線方向に整列配置され、その固定端側が基板３１の上面に形成されたランド３１ａと接続されている。また、基板３１の上面には前述した２つのプッシュスイッチ３４，３５が前後に間隔を置いて取り付けられ、これらプッシュスイッチ３４，３５間に押釦スイッチからなるスイッチ部材３６が配設されている。そして、この基板３１は筐体１内に底板６に穿設された開口６ａから挿入されて取付部７にねじ止めにより固定されている。
【００１９】
レバー部材３７は、プラスチック材で板状に成形されてなるもので、図２２〜図２４に示すように、小判状の長孔３７ａが前後方向に延びるように穿設され、一端部側に円柱状の検出部材３８が設けられており、他端部側にばね掛け用の突起３９が形成され、検出部材３８と突起３９との間には平板状の押圧部４０が設けられている。そして、このレバー部材３７は長孔３７ａを筐体１の側板３に設けられた軸９に嵌合させそのねじ孔９ａにねじ４１を螺入することによって筐体１に回動自在且つ前後方向にスライド自在に支持されており、図１〜図３に示すように、検出部材３８と押圧部４０とがそれぞれ円弧状孔３ａ及び小切欠３ｅを介して筐体１内に位置し、突起１０，３９に両端を係止してレバー部材３７の他端部側を牽引するばね部材４２の付勢力によって押圧部４０がスイッチ部材３６のアクチュエータ３６ａを押圧しているとともに、検出部材３８がトレイ１７の移動路内に進入してトレイ１７の上面に当接し検出部材３８の先端部がメモリーカード載置部２７内に位置した状態となっている。
【００２０】
スライド部材４３は、プラスチック材で板状に成形されてなるもので、図２５〜図２７に示すように、一方の面には矩形状の凹部４３ａと３つの係止突起４４とが設けられオイル式のロータリーダンパー４５が取り付けられており、また、他方の面にはばね掛け部４６と３つの円筒突起４７とが形成されている。ロータリーダンパー４５はグリスを封入した本体４５ａとこの本体４５ａに回転自在に軸支されたピニオン４５ｂとで構成されている。そして、図１，図４に示すように、このスライド部材４３は、３つの係止突起４４をそれぞれ筐体１の側板４に形成された３つの長孔４ｃに嵌挿して係止することによって筐体１に前後動自在に支持されており、ロータリーダンパー４５が透孔４ｄを介して筐体１内に位置し、ピニオン４５ｂに第１のラックギア１１が下方から噛合され、また、トレイ１７に形成された第２のラックギア３０がピニオン４５ｂに第１のラックギア１１と反対側（上方）から噛合されている。これにより、スライド部材４３は、トレイ１７の前後移動に伴う第２のラックギア３０の前後移動によってピニオン４５ｂが第１，第２のラックギア１１，３０と噛合した状態で前後方向に転動することにより、トレイ１７の前後移動に連動して前後動するとともに、スライド部材４３の前後動に伴いピニオン４５ｂが第１，第２のラックギア１１，３０と噛合した状態で前後方向に転動することにより、トレイ１７がスライド部材４３の前後動に連動して前後移動するようになっている。
【００２１】
また、図２５〜図２７に示すように、スライド部材４３には凹部４３ａとスライド部材４３の他方の面とを連通する小孔が穿設され、この小孔に挿通された金属線材からなる係合ピン４８がその後端部に合成樹脂製のストッパ部材４９を圧入することによってスライド部材４３に回動自在に支持されており、ストッパ部材４９に形成された突部４９ａがスライド部材４３の他方の面に弾接することによりストッパ部材４９が係合ピン４９ａをスライド部材４３の他方の面から一方の面に向かう方向へ付勢し、スライド部材４３が筐体１に支持された状態で係合ピン４９の先端部がハート型カム１４から脱落するのを防止している。そして、図２８に示すように、係止ピン４８の先端部が領域Ａでハート型カム１４の係止突起１４ｄに係止されることによって、図４に示すように、スライド部材４３が、ばね掛け部１３，４６に両端を係止してスライド部材４３と筐体１との間に掛合された引っ張りばね５０による前方向（矢印Ｘ方向）への付勢力に抗して後退位置にロックされ、これによりトレイ１７が筐体１内の搬入位置に保持されている。
【００２２】
本第１の実施形態に係るメモリーカード接続装置は上記したように構成されており、次にその動作について説明する。
【００２３】
このメモリーカード接続装置はコンピュータ等の機器に取り付けられて該機器に備わる記録再生回路と複数本の端子３２及びスイッチ部材３６とを接続して使用され、図１〜図４に示すトレイ１７が搬入位置に位置しスライド部材４３が後退位置にロックされた状態において、筐体１の前面開口部２ａに臨むトレイ１７の前面部２１を押圧操作してトレイ１７を若干後方向（矢印Ｙ方向）へ移動させると、このトレイ１７の移動に連動してスライド部材４３が後方向へ移動することにより、係合ピン４８の先端部が往路ガイド溝１４ｂの領域Ｂへ移動し、ハート型カム１４の係止突起１４ｄとの係止が外れてスライド部材４３のロックが解除され、スライド部材４３が引っ張りばね５０の付勢力で前方向（矢印Ｘ方向）へ移動する。この際、スライド部材４３はオイルダンパー４５によって制動力が与えられその移動速度が緩和される。
【００２４】
このスライド部材４３の移動に連動してトレイ１７が前方向へ移動し、スライド部材○○が前進位置に到達したときに、図２９に示すように、プッシュスイッチ３４のステム３４ａをトレイ１７の押圧部１９ａが押圧することによってトレイ１７が搬出位置に位置したことが検出される。この際、図２８に示すように、係合ピン４８の先端部は往路ガイド溝１４ｂの領域Ｂから領域Ｃ及び領域Ｄを経て主ガイド溝１４ａの領域Ｅに位置する。また、このとき、図３０に示すように、複数本の端子３２はトレイ１７から離反しており、これら端子３２の自由端側がトレイ１７との接触を避けて下方に退避している。さらに、この際、図３１に示すように、トレイ１７の前方向への移動によってレール部２２の前端部に押圧されて検出部材３８がレール部２２上に乗り上がり、これによりレバー部材３７がばね部材４２の付勢力に抗して上方へ回動して押圧部材４０が逃げ孔３ｆに位置し、押圧部４０による押圧が解除されてスイッチ部材３６のアクチュエータ３６ａが上方へ復帰するとともに、レール部２２がばね部材４２の付勢力に抗して検出部材３８を保持する保持手段として機能し、トレイ１７が搬出位置にあるときにレール部２２によって検出部材３８がトレイ１７の移動路から外れたレール部２２上の待機位置に保持される。
【００２５】
この状態で、図３２，図３３に示すように、メモリーカード６１の移動片６５によって前記メモリー素子への情報の書き込みを許可にして、筐体１外に引き出されたトレイ１７のメモリーカード載置部２７にメモリーカード６１を載置すると、メモリーカード６１がメモリーカード載置部２７に突起２３〜２６とレール部２２の先端部とによって位置決め保持される。尚、メモリーカード６１の天地を逆にして誤載置した場合は、メモリーカード６１の先端部分が突起２６のテーパ部２６ａ近傍において突起２６の上面と当接するため、メモリーカード６１をメモリーカード載置部２７に載置することができないようになっている。
【００２６】
そして、トレイ１７の前面部２１を押圧操作してトレイ１７を後方向（矢印Ｙ方向）へ移動させると、このトレイ１７の移動に連動してスライド部材４３が後方向へ移動し、引っ張りばね５０が伸ばされてこれに付勢力が蓄積され、図２８に示すように、係合ピン４８の先端部が主ガイド溝１４ａの領域Ｅから領域Ｄ及び復路ガイド溝１４ｃの領域Ｆ及び領域Ｇを経てハート型カム１４の係止突起１４ｄに係止され、スライド部材４３が引っ張りばね５０の前方向（矢印Ｘ方向）への付勢力に抗して後退位置にロックされることにより、トレイ１７が筐体１内の搬入位置に保持され、図３４に示すように、プッシュスイッチ３５のステム３５ａをトレイ１７の押圧部１９ｂが押圧することによってトレイ１７が搬入位置に位置したことが検出される。
【００２７】
また、トレイ１７が搬出位置から搬入位置に向かって後方向（矢印Ｙ方向）へ移動するこの過程で、トレイ１７に支承されたローラ２９は複数本の端子３２の自由端側をメモリーカード６１の接点６３に弾接させる押圧手段として機能し、図３５に示すように、トレイ１７の移動に伴って複数本の端子３２がその自由端側からトレイ１７の基部１８の底面とローラ２９との間に挿入されて、複数本の端子３２がローラ２９に摺接することにより、ローラ２９が回転しながら複数本の端子３２を押圧してその自由端側を持ち上げ、トレイ１７が搬入位置に位置したときに、図３６に示すように、トレイ１７の下方より開口部２７ａを介して複数本の端子３２の自由端側をメモリーカード６１の接点６３に弾接させ接続させる。
【００２８】
さらに、このトレイ１７が後方向へ移動する過程で、押さえローラ１６がメモリーカード６１の上面に乗り上がり弾性金属板１５の弾性によってメモリーカード６１の上面に押し付けられながらトレイ１７の移動に伴ってメモリーカード６１の上面上を転動し、トレイ１７が搬入位置に位置したときには、図３５及び図３６に示すように、押さえローラ１６によってメモリーカード６１の接点６３が複数本の端子３２に弾性的に押し付けられる。これにより、メモリーカード６１の接点６３と複数本の端子３２との接続が一層確実なものとなる。
【００２９】
また、トレイ１７の後方向（矢印Ｙ方向）への移動により、トレイ１７が搬入位置に位置したときにレール部２２による検出部材３８の保持が解除され、図３７，図３８に示すように、ばね部材４２の付勢力でレバー部材３７が下方に回動して検出部材３８が待機位置からトレイ１７の移動路内に進入し、検出部材３８がメモリーカード６１の切欠凹部６４に入り込んでレバー部材３７が下方に更に回動し、この更なる回動によって押圧部４０がスイッチ部材３６のアクチュエータ３６ａを下方に押し込んでスイッチ部材３６がスイッチング動作を行うことにより、メモリーカード６１が前記メモリー素子への情報の書き込みを許可された状態にあるのが検出される。
【００３０】
尚、メモリーカード６１の移動片６５によって前記メモリー素子への情報の書き込みを禁止にして、筐体１外に引き出されたトレイ１７のメモリーカード載置部２７にメモリーカード６１を載置した場合には、レール部２２による検出部材３８の保持が解除され、ばね部材４２の付勢力でレバー部材３７が下方に回動して検出部材３８がトレイ１７の移動路内に進入した後、図４２，図４３に示すように、検出部材３８が移動片６５に当接してレバー部材３７の回動が阻止されるので、押圧部４０によってアクチュエータ３６ａが押圧されずスイッチ部材３６がスイッチング動作を行わないことより、メモリーカード６１が前記メモリー素子への情報の書き込みを禁止された状態にあるのが検出される。
【００３１】
このようにしてトレイ１７が搬入位置に位置し複数本の端子３２によってメモリーカード６１の接点６３と上述した記録再生回路とが接続された後、前記メモリー素子への情報書き込みの許可された状態が検出されている場合は、この記録再生回路から複数本の端子３２を介してメモリーカード６１のメモリー素子に対して情報の書き込み・読み出しが行われ、また、前記メモリー素子への情報書き込みの禁止された状態が検出されている場合は、前記記録再生回路から複数本の端子３２を介してメモリーカード６１のメモリー素子に対して情報の読み出しのみが行われる。
【００３２】
また、メモリーカード６１を筐体１から排出するときは、上述したようにトレイ１７の前面部２１を押圧操作してトレイ１７を若干後方向（矢印Ｙ方向）へ移動させると、スライド部材４３のロックが解除されて引っ張りばね５０の付勢力でトレイ１７が搬出位置に引き出される。この押圧操作によってトレイ１７が若干後方向へ移動する際、図３９，図４０に示すように、メモリーカード６１の移動片６５によって前記メモリー素子への情報の書き込みを許可されている場合は、検出部材３８がメモリーカード６１の切欠凹部６４との係合によって筐体１の切欠孔３ｂ内に移動し、これによりレバー部材３７がばね部材４２の付勢力に抗して後方向へトレイ１７と一体的に移動して押圧部４０が小切欠３ｅ内を移動するため、メモリーカード６１の排出時にトレイ１７の前面部２１の押圧操作によって検出部材３８やレバー部材３７が破損するのを防止できるようになっている。
【００３３】
そして、ロックが解除されトレイ１７が搬出位置に向かって前方向に移動する過程で、図４１に示すように、トレイ１７のレール部２２が検出部材３８を押圧する押圧力によってレバー部材３７に付勢力Ｆ１が作用するので、軸９がメモリーカード載置部２７よりも下方であって且つ検出部材３８よりも筐体１の前面開口部２ａ側に位置しているため、レバー部材３７がばね部材４２の付勢力Ｆ２に抗して回動する回動力Ｆ３を充分に確保することができ、検出部材３８がメモリーカード６１の切欠凹部６４に入り込んだ状態においても切欠凹部６４から容易に離脱してレール部２２上にスムーズに乗り上がることができる。
【００３４】
また、トレイ１７が搬出位置に位置した後、メモリーカード６１をトレイ１７のメモリーカード載置部２７から取り出すときは、図４４に示すように、メモリーカード６１の接点６３に対応する先端部分の上面を押圧すると、メモリーカード６１の先端部分がメモリーカード載置部２７の開口部２７ａに没入して、メモリーカード６１の後端部分がメモリーカード載置部２７から浮き上がり、メモリーカード６１を手指で簡単に取り出すことができる。
【００３５】
次に、本発明のメモリーカード接続装置の第２の実施形態を図４５乃至図５４に基づいて説明する。
【００３６】
このメモリーカード接続装置が上述した第１の実施形態のメモリーカード接続装置と異なる点は、スライド部材４３に取り付けられた係合ピン４８及びストッパ部材４９と、筐体１とスライド部材４３との間に掛合された引っ張りばね５０とを取り外し、その代わりに、スライド部材４３に駆動部材７１を取り付け、これらスライド部材４３と駆動部材７１との間に別の引っ張りばね７４を掛合せた点と、駆動部材７１を前後方向に移動させるためのモータ７７を備えたモータユニット７５を筐体１内に固定した点と、一方のプッシュスイッチ３４を後方向（矢印Ｙ方向）に若干移動し、両プッシュスイッチ３４，３５をモータ７７と接続させた点との３点が異なるのみで、他は第１の実施形態に示したメモリーカード接続装置と同様であり、第１の実施形態と同一構造部には同一の符号を付して重複説明を省略する。
【００３７】
駆動部材７１は、プラスチック材でＬ字型形状に成形されてなるもので、図４８〜図５０に示すように、前後方向に延びる３つの長孔７１ａが穿設され、ばね掛け部７２が設けられている。また、駆動部材７１にはその下縁部に第３のラックギア７３が前後方向に延びるように形成されている。そして、この駆動部材７１は各々長孔７１ａ内にスライド部材４３の３つの円筒突起４７を嵌入させてスライド部材４３の他方の面に取り付けられており、ばね掛け部４６，７２に両端を係止してスライド部材４３と駆動部材７１との間に掛合された引っ張りばね７４の付勢力によって各長孔７１ａの前端内壁に円筒突起４７がそれぞれ当接し、各長孔７１ａの後端内壁と円筒突起４７との間にクリアランスｔ１が設けられている。
【００３８】
モータユニット７５は、図５１〜図５２に示すように、合成樹脂製のシャーシ７６と、シャーシ７６に取り付けられたモータ７７と、上下２段に重ね合わされシャーシ７６に搭載されたウォーム７８及びウォームホイール７９と、モータ７７の回転軸７７ａに固定されウォームホイール７９と噛合するウォーム８０と、シャーシ７６に回転可能に軸支されウォーム７８と噛合するウォームホイール８１が一体に設けられた歯車８２とで構成され、筐体１の底板６にねじ止めによって取り付けられており、図４６に示すように、筐体１の通孔４ａから突出した歯車８２が駆動部材７１の第３のラックギア７３と噛合し、この噛合により駆動部材７１を介してトレイ１７とスライド部材４３とをそれぞれ搬入位置及び後退位置に保持している。
【００３９】
本第２の実施形態に係るメモリーカード接続装置は上記したように構成されており、次にその動作について説明する。
【００４０】
このメモリーカード接続装置も第１の実施形態と同様コンピュータ等の機器に取り付けられて該機器に備わる記録再生回路と複数本の端子３２及びスイッチ部材３６とを接続して使用され、図４５〜図４７に示す状態において、別途設けた通電用スイッチの操作により、モータ７７に通電すると、その回転軸７７ａの回転がウォーム７８，８０及びウォームホイール７９，８１により伝達されて歯車８２が反時計方向（矢印ＣＣＷ方向）に回転し、歯車８２の回転が第３のラックギア７３との噛合によって直線運動に変換されて駆動部材７１が前方向（矢印Ｘ方向）へ移動する。これに伴いスライド部材４３が駆動部材７１と一体的に前方向へ移動し、トレイ１７がスライド部材４３の移動に連動して前方向へ移動する。この際、トレイ１７に形成されたレール部２２の前端部に押圧されて検出部材３８がレール部２２上に乗り上がり、レバー部材３７が上方へ回動し、押圧部４０による押圧が解除されてスイッチ部材３６のアクチュエータ３６ａが上方へ復帰する。そして、上述したように一方のプッシュスイッチ３４を若干後方向に移動させたので、搬出位置にトレイ１７が到達する直前で押圧部１９ａにプッシュスイッチ３４のステム３４ａが押圧されてプッシュスイッチ３４がスイッチング動作を行い、このスイッチング動作によりモータ７７への通電が遮断され、駆動部材７１の前方向への移動が停止する。
【００４１】
この後、スライド部材４３は引っ張りばね７４の付勢力で更に前方向（矢印Ｘ方向）へ移動して前進位置に到達し、その結果、図５３に示すように、スライド部材４３が前進位置に位置したときには、各円筒突起４７が長孔７１ａの後端内壁から離間し、各円筒突起４７と長孔７１ａの後端内壁との間にクリアランスｔ２が形成される。また、このスライド部材４３の更なる移動によってトレイ１７が搬出位置に到達する。ここで、レール部２２によって検出部材３８がトレイ１７の移動路外の待機位置に保持されるとともに、トレイ１７が搬出位置に位置した後もプッシュスイッチ３４のステム３４ａはトレイ１７の押圧部１９ａに押圧されたままの状態が維持されている。
【００４２】
この状態で、図５４に示すように、筐体１外に引き出されたトレイ１７のメモリーカード載置部２７にメモリーカード６１を載置し、トレイ１７の前面部２１を押圧操作してトレイ１７を後方向（矢印Ｙ方向）へ移動させると、トレイ１７の移動に連動してスライド部材４３がクリアランスｔ２分だけ後方向へ移動し、その際、プッシュスイッチ３４のステム３４ａに対するトレイ１７の押圧部１９ａによる押圧が解除されてプッシュスイッチ３４がスイッチング動作を行い、このスイッチング動作によりモータ７７に通電がなされる。すると、歯車８２が時計方向（矢印ＣＷ方向）に回転し、歯車８２と第３のラックギア７３との噛合によって駆動部材７１の後方向（矢印Ｙ方向）への移動して、長孔７１ａの前端内壁が円筒突起４７に当接することにより、スライド部材４３が駆動部材７１と一体的に後方向へ移動し、このスライド部材４３の移動に連動してトレイ１７が後方向へ移動する。
【００４３】
そして、トレイ１７が搬入位置に位置したときに、プッシュスイッチ３５のステム３５ａをトレイ１７の押圧部１９ｂが押圧することによってプッシュスイッチ３５がスイッチング動作を行い、このスイッチング動作によりモータ７７への通電が遮断されて駆動部材７１が停止し、スライド部材４３が元の後退位置に位置する。このとき、複数本の端子３２の自由端側がトレイ１７のローラ２９により持ち上げられてトレイ１７の下方より開口部２７ａを介してメモリーカード６１の接点６３に弾接して接続された状態となる。
【００４４】
また、このトレイ１７が搬入位置に位置したときに、レール部２２による検出部材３８の保持が解除され、ばね部材４２の付勢力でレバー部材３７が下方に回動して検出部材３８がトレイ１７の移動路内に進入し、メモリーカード６１の移動片６５によって前記メモリー素子への情報の書き込みが許可されている場合は、図３７，図３８に示したように、検出部材３８がメモリーカード６１の切欠凹部６４に入り込んでレバー部材３７が下方に更に回動し、スイッチ部材３６がスイッチング動作を行うことにより、メモリーカード６１が前記メモリー素子への情報の書き込みを許可された状態にあるのが検出され、また、前記メモリー素子への情報の書き込みが禁止されている場合は、図４２，図４３に示したように、検出部材３８が移動片６５に当接してレバー部材３７の回動が阻止されることにより、メモリーカード６１が前記メモリー素子への情報の書き込みを禁止された状態にあるのが検出される。
【００４５】
このようにして複数本の端子３２によってメモリーカード６１の接点６３と上述した記録再生回路とが接続された後、前記メモリー素子への情報書き込みの許可された状態が検出されている場合は、この記録再生回路から複数本の端子３２を介してメモリーカード６１のメモリー素子に対して情報の書き込み・読み出しが行われ、また、前記メモリー素子への情報書き込みの禁止された状態が検出されている場合は、前記記録再生回路から複数本の端子３２を介してメモリーカード６１のメモリー素子に対して情報の読み出しのみが行われる。
【００４６】
また、メモリーカード６１を筐体１から排出する場合は、上述したようにモータ７７に通電し歯車８２を反時計方向に回転させることによりトレイ１７を搬出位置に移動させ、トレイ１７のメモリーカード載置部２７に載置されたメモリーカード６１を取り上げる。
【００４７】
尚、この第２の実施形態においては、プッシュスイッチ３４のスイッチング動作によりモータ７７に通電してトレイ１７を搬出位置から搬入位置へ移動させる場合について説明したが、筐体１外にモータ７７に通電し回転軸７７ａを回転するためのスイッチを別に設け、このスイッチを操作することによってトレイ１７を搬出位置から搬入位置へ移動させることも可能である。
【００４８】
【発明の効果】
本発明は、以上説明したような形態で実施され、以下に記載されるような効果を奏する。
【００４９】
本発明のメモリーカード接続装置は、筐体にトレイを出し入れ自在に支持し、前記筐体に回動自在に軸支したレバー部材に検出部材を設け、前記レバー部材を回動させて前記検出部材を前記トレイの移動路内に進入させ、メモリーカードに内蔵されたメモリー素子への書き込みが禁止された状態にある場合には前記検出部材が前記メモリーカードの移動片に当接して前記レバー部材の回動が阻止されるとともに、前記メモリー素子への書き込みが許可された状態にある場合には前記検出部材が前記メモリーカードの切欠凹部に入り込んで前記レバー部材が更に回動しスイッチ部材がスイッチング動作を行うことにより、前記メモリー素子への書き込みが許可又は禁止された状態にあるのを検出するようにしたので、光センサを用いることなく前記移動片の位置から情報の書き込みが許可された状態にあるのか禁止の状態あるのかを簡単な構造で検出することができるため、構造が複雑になるのを抑制し、より低コストなメモリーカード接続装置を提供することができる。
【００５０】
また、前記レバー部材が前記筐体の一方の側板に軸支され、前記レバー部材を軸支する軸が前記メモリーカード載置部よりも下方であって且つ前記検出部材よりも前記前面開口部側に配置されているので、前記トレイの前記搬出位置への移動によって前記検出部材が前記メモリーカードの切欠凹部から容易に離脱して前記待機位置にスムーズに復帰させることができる。
【００５１】
また、前記メモリー素子への書き込みが許可された状態にある場合に、前記回動レバーが、前記検出部材と前記切欠凹部とが係合した状態で前記押圧操作によって前記トレイと一体的に移動するので、前記トレイの前面部の押圧操作によって前記検出部材や前記レバー部材が破損するのを防止することができる。
【００５２】
また、前記トレイに設けられその移動方向に延びるレール部で前記トレイが前記搬出位置にある時に前記ばね部材の付勢力に抗して前記検出部材を前記トレイの移動路外の待機位置に保持する保持手段を形成し、メモリー素子への書き込みが許可された状態にある場合に前記検出部材が前記切欠凹部に入り込むことができる位置に前記レール部の前端部を配設したので、前記トレイの前記搬入位置への移動に連動させて前記検出部材の保持を解除することができ、前記移動片の位置から前記メモリー素子への情報の書き込みが許可された状態にあるのか禁止の状態あるのかを確実に検出することができる。
【００５３】
また、前記トレイに設けた複数の突起と前記レール部とによって前記メモリーカード載置部に前記メモリーカードを位置決め保持するようにしたので、前記レール部の前端部に対し前記メモリーカードを正確に位置決めすることができ、前記メモリー素子への情報の書き込みが許可された状態にあるのか禁止の状態あるのかを一層確実に検出することができる。
【図面の簡単な説明】
【図１】本発明の第１の実施形態に係わるメモリーカード接続装置の平面図である。
【図２】該メモリーカード接続装置の正面図である。
【図３】該メモリーカード接続装置の左側面図である。
【図４】該メモリーカード接続装置の右側面図である。
【図５】メモリーカードの平面図であって、Ａは情報の書き込みが許可された状態を示し、Ｂは情報の書き込みが禁止された状態を示す。
【図６】該メモリーカード接続装置に備えられる筐体の平面図である。
【図７】該筐体の正面図である。
【図８】該筐体の左側面図である。
【図９】該筐体の右側面図である。
【図１０】該筐体の底面図である。
【図１１】該メモリーカード接続装置に備えられるトレイの平面図である。
【図１２】該トレイの正面図である。
【図１３】該トレイの左側面図である。
【図１４】該トレイの右側面図である。
【図１５】該トレイの底面図である。
【図１６】図１１の１６−１６線に沿う断面図である。
【図１７】図１１の１７−１７線に沿う断面図である。
【図１８】図１１の１８−１８線に沿う断面図である。
【図１９】該メモリーカード接続装置に備えられる基板の平面図である。
【図２０】該基板の右側面図である。
【図２１】該基板が筐体に取り付けられた状態を示す説明図である。
【図２２】該メモリーカード接続装置に備えられるレバー部材の平面図である。
【図２３】該レバー部材の正面図である。
【図２４】該レバー部材の左側面図である。
【図２５】該メモリーカード接続装置に備えられるスライド部材の左側面図である。
【図２６】該スライド部材の平面図である。
【図２７】該スライド部材の右側面図である。
【図２８】該メモリーカード接続装置に備えられるハート型カムの拡大図である。
【図２９】トレイが搬出位置に位置するときのプッシュスイッチの動作を示す説明図である。
【図３０】トレイが搬出位置に位置するときの端子の状態を示す説明図である。
【図３１】トレイが搬出位置に位置するときのレバー部材の動作を示す説明図である。
【図３２】図１のトレイが搬出位置に位置するときの平面図である。
【図３３】図４のトレイが搬出位置に位置するときの右側面図である。
【図３４】トレイが搬入位置に位置するときのプッシュスイッチの動作を示す説明図である。
【図３５】トレイが搬入位置に位置するときの端子の状態を示す説明図である。
【図３６】図３５の要部拡大図である。
【図３７】トレイが搬入位置に位置するときにメモリーカードの切欠凹部に検出部材が入り込んだ状態を示す平面図である。
【図３８】図３７の検出部材が切欠凹部に入り込んだときのレバー部材の動作を示す説明図である。
【図３９】検出部材が切欠凹部に入り込んだ状態でトレイを後方向へ移動させたときの状態を示す平面図である。
【図４０】図３９のトレイを後方向へ移動させたときのレバー部材の動作を示す説明図である。
【図４１】トレイが搬出位置へ移動するときのレバー部材に作用する回動力を示す説明図である。
【図４２】トレイが搬入位置に位置するときにメモリーカードの移動片に検出部材が当接した状態を示す平面図である。
【図４３】図４２の検出部材が移動片に当接したときのレバー部材の動作を示す説明図である。
【図４４】メモリーカードをトレイから取り上げる際の動作を示す説明図である。
【図４５】本発明の第２の実施形態に係わるメモリーカード接続装置の平面図である。
【図４６】該メモリーカード接続装置の右側面図である。
【図４７】該メモリーカード接続装置の正面図である。
【図４８】該メモリーカード接続装置に備えられる駆動部材をスライド部材に取り付けた状態の左側面図である。
【図４９】その平面図である。
【図５０】その右側面図である。
【図５１】該メモリーカード接続装置に備えられるモータユニットの平面図である。
【図５２】該モータユニットが筐体に取り付けられた状態を示す説明図である。
【図５３】図４６のトレイが搬出位置に位置するときの右側面図である。
【図５４】図４５のトレイが搬出位置に位置するときの平面図である。
【符号の説明】
１  筐体
２  前面板
２ａ  前面開口部
３  側板
３ａ  円弧状孔
３ｂ  切欠孔
３ｃ  小孔
３ｄ  切欠部
３ｅ  小切欠
３ｆ  逃げ孔
４  側板
４ａ  通孔
４ｂ  角孔
４ｃ  長孔
４ｄ  透孔
５  後面板
５ａ  後面開口部
６  底板
６ａ  開口
７  取付部
８ａ，８ｂ  案内突起
９  軸
９ａ  ねじ孔
１０  突起
１１  第１のラックギア
１２ａ  案内突起
１２ｂ  案内突起
１３  ばね掛け部
１４  ハート型カム
１４ａ  主ガイド溝
１４ｂ  往路ガイド溝
１４ｃ  復路ガイド溝
１４ｄ  係止突起
１５  弾性金属板
１６  押さえローラ
１７  トレイ
１８  基部
１９  案内腕部
１９ａ，１９ｂ  押圧部
２０  案内腕部
２１  前面部
２２  レール部
２３，２４，２５，２６  突起
２６ａ  テーパ部
２７  メモリーカード載置部
２７ａ  開口部
２８ａ，２８ｂ  支持部
２９  ローラ
２９ａ  軸
３０  第２のラックギア
３１  基板
３１ａ  ランド
３２  端子
３３  ブロック体
３４，３５  プッシュスイッチ
３４ａ，３５ａ  ステム
３６  スイッチ部材
３６ａ  アクチュエータ
３７  レバー部材
３７ａ  長孔
３８  検出部材
３９  突起
４０  押圧部
４１  ねじ
４２  ばね部材
４３  スライド部材
４３ａ  凹部
４４  係止突起
４５  ロータリーダンパー
４５ａ  本体
４５ｂ  ピニオン
４６  ばね掛け部
４７  円筒突起
４８  係合ピン
４９  ストッパ部材
４９ａ  突部
５０  引っ張りばね
６１  メモリーカード
６２  テーパ部
６３  接点
６４  切欠凹部
６５  移動片
７１  駆動部材
７１ａ  長孔
７２  ばね掛け部
７３  第３のラックギア
７４  引っ張りばね
７５  モータユニット
７６  シャーシ
７７  モータ
７７ａ  回転軸
７８，８０  ウォーム
７９，８１  ウォームホイール
８２  歯車
【図１】
0003782945.tif 000002
【図２】
0003782945.tif 000003
【図３】
0003782945.tif 000004
【図４】
0003782945.tif 000005
【図５】
0003782945.tif 000006
【図６】
0003782945.tif 000007
【図７】
0003782945.tif 000008
【図８】
0003782945.tif 000009
【図９】
0003782945.tif 000010
【図１０】
0003782945.tif 000011
【図１１】
0003782945.tif 000012
【図１２】
0003782945.tif 000013
【図１３】
0003782945.tif 000014
【図１４】
0003782945.tif 000015
【図１５】
0003782945.tif 000016
【図１６】
0003782945.tif 000017
【図１７】
0003782945.tif 000018
【図１８】
0003782945.tif 000019
【図１９】
0003782945.tif 000020
【図２０】
0003782945.tif 000021
【図２１】
0003782945.tif 000022
【図２２】
0003782945.tif 000023
【図２３】
0003782945.tif 000024
【図２４】
0003782945.tif 000025
【図２５】
0003782945.tif 000026
【図２６】
0003782945.tif 000027
【図２７】
0003782945.tif 000028
【図２８】
0003782945.tif 000029
【図２９】
0003782945.tif 000030
【図３０】
0003782945.tif 000031
【図３１】
0003782945.tif 000032
【図３２】
0003782945.tif 000033
【図３３】
0003782945.tif 000034
【図３４】
0003782945.tif 000035
【図３５】
0003782945.tif 000036
【図３６】
0003782945.tif 000037
【図３７】
0003782945.tif 000038
【図３８】
0003782945.tif 000039
【図３９】
0003782945.tif 000040
【図４０】
0003782945.tif 000041
【図４１】
0003782945.tif 000042
【図４２】
0003782945.tif 000043
【図４３】
0003782945.tif 000044
【図４４】
0003782945.tif 000045
【図４５】
0003782945.tif 000046
【図４６】
0003782945.tif 000047
【図４７】
0003782945.tif 000048
【図４８】
0003782945.tif 000049
【図４９】
0003782945.tif 000050
【図５０】
0003782945.tif 000051
【図５１】
0003782945.tif 000052
【図５２】
0003782945.tif 000053
【図５３】
0003782945.tif 000054
【図５４】
0003782945.tif 000055